(57)【特許請求の範囲】
【請求項１】
少なくとも３層からなるパーマネントウェーブ用剤の第１剤を収納する容器であって、最外層が酸化ケイ素（ＳｉＯＸ）を蒸着してなる飽和ポリエステル樹脂層であり、中間層がエチレン−ビニルアルコール共重合体またはポリアミド系２軸延伸樹脂層であり、最内層がポリオレフィン系樹脂層であることを特徴とする毛髪化粧料収納容器。
【請求項２】
前記パーマネントウェーブ用剤の第１剤が、アルカリ剤としてアンモニア、モノエタノールアミン、ジエタノールアミン、トリエタノールアミン、イソプロパノールアミン、ジイソプロパノールアミンから選ばれる１種以上を含有するものであることを特徴とする請求項１記載の毛髪化粧料収納容器。
【請求項３】
前記酸化ケイ素（ＳｉＯＸ）を蒸着してなる飽和ポリエステル樹脂層の厚さが５〜２０μｍで、前記エチレン−ビニルアルコール共重合体またはポリアミド系２軸延伸樹脂層の厚さが５〜２５μｍで、前記ポリオレフィン系樹脂層の厚さが２０〜２００μｍであることを特徴とする請求項１または請求項２記載の毛髪化粧料収納容器。
【発明の詳細な説明】
【０００１】
【発明の属する技術分野】
この発明は、パーマ剤、酸性染毛料（ヘアマニキュア）等の毛髪化粧料を内部に収納する毛髪化粧料収納容器に関するものである。
【０００２】
【従来の技術】
従来より、毛髪化粧料を収納する容器としては、耐薬品性やバリアー性に優れた塩化ビニル製の樹脂容器やガラス容器、ポリオレフィン系樹脂容器等が広く使用されている。しかし、塩化ビニル製の樹脂容器は、７００℃以下で燃焼すると、猛毒であるダイオキシンが発生し、環境汚染の原因となることが近年、問題となってきた。また、ガラス容器は、ダイオキシンの発生はないが、空き容器は重くて嵩張り、破棄等をしにくいものであった。また、オレフィン系樹脂容器は、燃焼してもダイオキシンは発生せず、耐水性に優れるため、液体を収納するには適しているが、バリアー性に乏しいため、酸化しやすい毛髪化粧料の長期保存には不向きなものであった。そこで、近年、これらの容器に代えて、中間層に高いバリアー性を有するアルミ層を配し、該中間層の外側と内側に耐水性に優れたポリエチレン樹脂等のポリオレフィン系樹脂層を配した積層容器が使用されるようになった。
【０００３】
【発明が解決しようとする課題】
ところが、前記従来の塩化ビニル製の樹脂容器やガラス容器は、廃棄、焼却等に関して、ポリオレフィン系樹脂容器はバリアー性等に関して問題があり、また中間層にアルミ層を設けた積層容器においては、内部の視認性が悪く、内容物の残量が確認できないという問題があった。
【０００４】
この発明は、上記のような従来技術に存在する問題点に着目してなされたものである。その目的とするところは、廃棄、焼却に関してダイオキシンの発生の懸念がなく、毛髪化粧料に対する高いバリアー性、耐薬品性、耐水性とを具備すると共に内部の視認性に優れた毛髪化粧料収納容器を提供することにある。
【０００５】
【課題を解決するための手段】
上記の目的を達成するために、請求項１に記載の発明の毛髪化粧料収納容器は、少なくとも３層からなる毛髪化粧料を収納する容器であって、最外層が無機物を蒸着してなる飽和ポリエステル樹脂層であり、中間層がエチレン−ビニルアルコール共重合体またはポリアミド系２軸延伸樹脂層であり、最内層がポリオレフィン系樹脂層であることを特徴とするものである。
【０００６】
請求項２に記載の発明の毛髪化粧料収納容器は、請求項１に記載の発明において、前記毛髪化粧料が、アルカリ剤を含有してなる毛髪化粧料であることを特徴とするものである。
【０００７】
請求項３に記載の発明の毛髪化粧料収納容器は、請求項１に記載の発明において、前記毛髪化粧料が、パーマネントウェーブ用剤であることを特徴とするものである。
【０００８】
請求項４に記載の発明の毛髪化粧料収納容器は、請求項１から請求項３に記載の発明において、前記無機物を蒸着してなる飽和ポリエステル樹脂層の厚さが５〜２０μｍで、前記エチレン−ビニルアルコール共重合体またはポリアミド系２軸延伸樹脂層の厚さが５〜２５μｍで、前記ポリオレフィン系樹脂層の厚さが２０〜２００μｍであることを特徴とするものである。
【０００９】
【発明の実施の形態】
以下、この発明の実施形態を図１に従って説明する。
【００１０】
図１（ａ）、（ｂ）に示すように、この毛髪化粧料収納容器１１は、最外層１２に無機物を蒸着してなる飽和ポリエステル樹脂層を配し、中間層１３にエチレン−ビニルアルコール共重合体層１３ａまたはポリアミド系２軸延伸樹脂層１３ｂを配し、最内層１４にポリオレフィン系樹脂層１４ａを配した少なくとも３層の積層構造を備えている。そして、容器本体には毛髪化粧料が収納されている。
【００１１】
最外層１２は飽和ポリエステル樹脂層１２ａとその内面に蒸着された無機物蒸着層１２ｂとから形成される。
【００１２】
飽和ポリエステル樹脂層１２ａの形成材料としては、ポリエチレンテレフタレート（ＰＥＴ）、ポリエチレンナフタレート（ＰＥＮ）、ポリブチレンテレフタレート（ＰＢＴ）等が挙げられる。これらの中でも、ポリエチレンテレフタレート（ＰＥＴ）がより好ましい。
【００１３】
また、飽和ポリエステル樹脂１２ａに代わる形成材料としては、延伸ナイロン、延伸ポリビニルアルコール、延伸ポリプロピレンなどが挙げられる。
【００１４】
無機物蒸着層１２ｂを形成する無機物としては、酸化ケイ素（ＳｉＯＸ）、アルミナ（Ａｌ２Ｏ３）等が挙げられる。これらはいずれも高いバリアー性を有するとともに透明性も有している。そして、飽和ポリエステル樹脂層１２ａに高いバリアー性を付与するとともに、良好な廃棄性を付与するものである。
【００１５】
無機物蒸着層１２ｂの厚さは、通常５０〜５，０００オングストロームが好ましい。この厚さが５０オングストローム未満であると十分なバリアー性が得られない。一方、５，０００オングストロームを超えても、それに相当する効果は得られず、かえって製造コストの点で不利となる。
【００１６】
無機物蒸着層１２ｂの形成に用いられる蒸着方法としては、例えば、真空蒸着法、スパッタリング法、イオンプレーティング法、プラズマ蒸着法、化学的気相蒸着法（ＣＶＤ法）等が挙げられる。
【００１７】
最外層１２の厚さは、５〜２０μｍが好ましい。この厚さが５μｍ未満であると耐水性が得られない。一方、２０μｍを超えても、それに相当する効果は得られず、かえって製造コストの点で不利となる。
【００１８】
中間層１３は、エチレン−ビニルアルコール共重合体層１３ａまたはポリアミド系２軸延伸樹脂層１３ｂで形成される。そして前記エチレン−ビニルアルコール共重合体層１３ａおよびポリアミド系２軸延伸樹脂層１３ｂは、バリアー性を有している。ここで、バリアー性とは、ガスバリアー性、揮発性物質の耐透過性、および液状物質の耐透過性等をいう。
【００１９】
ポリアミド系２軸延伸樹脂層１３ｂの形成材料としては、強度、柔軟性に優れた二軸延伸ナイロンが好ましい。
【００２０】
中間層１３の厚さは、５〜２５μｍが好ましい。この厚さが５μｍ未満であるとバリアー性が得られない。一方、２５μｍを超えても、それに相当する効果は得られず、かえって製造コストの点で不利となる。
【００２１】
最内層１４は、ポリオレフィン系樹脂層１４ａで形成される。そして前記ポリオレフィン系樹脂層１４ａは耐水性、耐薬品性を有している。
【００２２】
ポリオレフィン系樹脂層１４ａの形成材料としては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、ポリプロピレン（ＰＰ）、エチレン−プロピレン共重合体、エチレン−ブテン共重合体、エチレン−ヘキセン共重合体、エチレン−オクテン共重合体、エチレン−酢酸ビニル共重合体（ＥＶＡ）、エチレン−メチルメタクリレート共重合体、アイオノマー樹脂等が挙げられる。これらの中でも、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、ポリプロピレン（ＰＰ）、エチレン−酢酸ビニル共重合体（ＥＶＡ）、アイオノマー樹脂が好ましい。
【００２３】
最内層を形成するポリオレフィン系樹脂層１４ａの厚さは、２０〜２００μｍが好ましい。この厚さが２０μｍ未満であると十分な耐水性、耐薬品性が得られない。一方、２００μｍを超えても、それに相当する効果は得られず、かえって製造コストの点で不利となる。
【００２４】
また、最外層１２、中間層１３および最内層１４の各層間は接着され、積層されている。各層間の接着方法としては、ドライラミネーション法が好適に採用される。
【００２５】
また、この毛髪化粧料収納容器１１の最外層１２又は中間層１３には印刷を施すことが可能であり、好適に採用可能な印刷方法としては、例えばグラビア印刷法が挙げられる。
【００２６】
また、容器の形状としては、スタンディングパウチ、パウチ、ボトル、チューブ等が挙げられる。これらの中でも、スタンディングパウチ、パウチがより好ましい。
【００２７】
次に、容器本体内に収納される毛髪化粧料について説明する。
容器本体内に収納される毛髪化粧料としては、例えば酸化染毛剤、酸性染毛料、毛髪脱色剤等の染毛料の他、シャンプー、リンス、整髪剤、パーマ剤、トリートメント剤、ラメ、ヘナ等が挙げられる。剤型は特に限定されるものではなく、例えばジェル状、ゲル状、クリーム状、ペースト状等の粘稠なものや、液状、粉末等が挙げられる。また、一剤式のものでも第１剤と第２剤とからなる二剤式のものでもよい。
【００２８】
例えば、アルカリ剤を含有した毛髪化粧料としては、酸化染毛剤、毛髪脱色剤、パーマネントウェーブ用剤等の第１剤が挙げられる。
【００２９】
そして、アルカリ剤としては、アンモニア、アルカノールアミン類（モノエタノールアミン、ジエタノールアミン、トリエタノールアミン等）、有機アミン類（２−アミノ−２−メチル−プロパノール、２−アミノ−２−メチル−プロパンジオール、イソプロパノールアミン、ジイソプロパノールアミン、炭酸グアニジン、塩酸グアニジン、硫酸グアニジン等）、塩基性アミノ酸（アルギニン、リジン等）、無機アルカリ（水酸化ナトリウム、水酸化カリウム、水酸化リチウム、炭酸アンモニウム等）およびそれらの塩等から選ばれた少なくとも一種が使用される。更にそれらを組み合わせて緩衝溶液として使用しても良い。
【００３０】
その配合量は０．０１〜１５重量％が好ましく、１５重量％を超えると毛髪損傷を引き起こす恐れが高くなる。そして、第１剤のｐＨはｐＨ６．０〜１０．０、好ましくは７．５〜９．５に調整される。
【００３１】
また、パーマネントウェーブ用剤の場合、第１剤には還元剤、アルカリ剤等が配合され、第２剤には酸化剤等が配合されている。
【００３２】
パーマネントウェーブ用剤の第１剤に配合される還元剤としては、チオグリコール酸、チオグリコール酸アンモニウム、チオグリコール酸ナトリウム、チオグリコール酸モノエタノールアミンなどのチオグリコール酸塩、グリセリンチオグリコレートなどのチオグリコール酸のエステル、システイン、及びその塩酸塩、Ｎ−アセチル−Ｌ−システインなどのシステイン塩、チオグリセロール、チオ乳酸、チオリンゴ酸、システアミン等のメルカプト化合物、亜硫酸、亜硫酸アンモニウム、亜硫酸ナトリウムなどの亜硫酸塩、亜硫酸水素アンモニウム、亜硫酸水素ナトリウムなどの亜硫酸水素塩、チオ硫酸、チオ硫酸ナトリウムなどのチオ硫酸塩等から選ばれた少なくとも一種が使用される。
【００３３】
その配合量は、第１剤の全重量に対して０．０１〜１５重量％が好ましく、０．０１重量％よりも少ないと毛髪に十分なウェーブを形成できない恐れがあり、１５重量％を超えると毛髪を還元しすぎて毛髪損傷を引き起こす恐れがある。
【００３４】
第１剤に配合されるアルカリ剤としては、前記したアルカリ剤が使用される。
また、これらの成分以外にも本発明の効果を損なわない範囲で、他の添加成分を配合することができる。
【００３５】
他の添加成分としては、例えば、セタノール、ベへニルアルコール等の高級アルコール、バチルアルコール、キミルアルコール等のアルキルグリセリルエーテル、アラビアガム、アルギン酸ナトリウム、キサンタンガム、セルロース誘導体、架橋ポリアクリル酸等の天然又は合成の高分子、脂肪酸等の粘度調整剤、アボカド油、ホホバ油、マカデミアンナッツ油、オリーブ油のグリセライド等の油脂類、ミツロウ、ラノリン等のロウ類、流動パラフィン、固形パラフィン、イソパラフィン、スクワラン等の炭化水素類、ミリスチン酸イソプロピル、ミリスチン酸オクチルドデシル等のエステル類、オレイン酸ジエタノールアミド、ラウリン酸ジエタノールアミド等のアミド類、ジメチルポリシロキサン、メチルフェニルポリシロキサン、ポリエーテル変性シリコーン、アミノ変性シリコーン等のシリコーン誘導体、塩化ステアリルトリメチルアンモニウム、ジステアリルジメチルアンモニウム等のカチオン性界面活性剤、ポリオキシエチレンラウリルエーテルサルフェート、ポリオキシエチレンラウリルスルホコハク酸塩などのアニオン性界面活性剤、ラウリルヒドロキシスルホベタイン、ラウリルジメチルカルボベタイン等の両性界面活性剤、ポリオキシエチレンアルキルエーテル、ポリオキシエチレンアルキルフェニルエーテル等の非イオン界面活性剤、ポリビニルピロリドン、ビニルピロリドンと酢酸ビニルとの共重合体等の非イオン性高分子、アクリル酸及び／又はメタクリル酸と（メタ）アクリル酸アルキルエステルとの共重合体等のアニオン性高分子、Ｎ−メタクリロイルエチル−Ｎ，Ｎ−ジメチルアンモニウム−α−Ｎ−メチルカルボキシベタインとメタクリル酸ブチルとの共重合体等の両性高分子、塩化ジメチルジアリルアンモニウム・アクリルアミド共重合体やカチオン化セルロース等のカチオン性高分子、アミノ酸やタンパク質加水分解物およびその誘導体、エタノールやグリセリン、プロピレングリコール等の溶剤、パラベン等の防腐剤、ＥＤＴＡ−Ｎａ等のキレート剤、フェナセチン等の安定化剤、その他、植物抽出物、生薬抽出物、ビタミン類、天然色素、香料、顔料、紫外線吸収剤等から選ばれた少なくとも一種が使用される。
【００３６】
第２剤に配合される酸化剤としては、臭素酸ナトリウム、臭素酸カリウムなどの臭素酸塩、過酸化水素、過ほう酸塩、過炭酸ナトリウム等から選ばれた少なくとも一種が使用される。
【００３７】
その配合量は、第２剤の全重量に対して０．１〜１５重量％が好ましく、０．１重量％よりも少ないと十分な酸化効果が得られず、１５重量％を超えると毛髪損傷の恐れがある。さらには、５〜１０重量％が特に好ましい。
【００３８】
第２剤に配合されるｐＨ調整剤としては、例えば、リン酸、クエン酸、硫酸、酢酸、乳酸、酒石酸等が使用され、第２剤のｐＨは２〜６に調整される。
【００３９】
次に、本発明で使用されるパーマネントウェーブ用剤の処方例を以下に記載するが、本発明はこれらの処方例に限定されるものではない。
【００４０】
・  パーマネントウェーブ用剤（ａ）の場合、パーマネントウェーブ用剤の第１剤は、チオグリコール酸アンモニウム（５０％）を１４．０重量％、モノエタノールアミンを１．５重量％、アンモニア水（２８％）を０．８重量％、ヒドロキシエチルセルロースを０．２重量％、塩化セチルトリメチルアンモニウムを０．４重量％、アミノ変性シリコーンエマルジョンを０．４重量％、精製水を残部配合したものが使用される。
【００４１】
パーマネントウェーブ用剤の第２剤は、臭素酸ナトリウムを８．０重量％、キサンタンガムを０．０５重量％、クエン酸をｐＨを６．０とする量、精製水を残部配合したものが使用される。
【００４２】
・  パーマネントウェーブ用剤（ｂ）の場合、パーマネントウェーブ用剤の第１剤は、システイン塩酸塩を６．０重量％、モノエタノールアミンを１．５重量％、炭酸アンモニウムを１．０重量％、アンモニア水（２８％）を０．８重量％、ヒドロキシエチルセルロースを０．２重量％、塩化セチルトリメチルアンモニウムを０．４重量％、アミノ変性シリコーンエマルジョンを０．４重量％、精製水を残部配合したものが使用される。
【００４３】
パーマネントウェーブ用剤の第２剤は、過酸化水素（３５％）を５．７重量％、キサンタンガムを０．０５重量％、リン酸をｐＨを３．５とする量、精製水を残部配合したものが使用される。
【００４４】
次に、前記のように構成された毛髪化粧料収納容器の作用を説明する。
さて、毛髪化粧料を実施形態の毛髪化粧料収納容器１１に収納した状態で保存しているとき、毛髪化粧料中の成分が内側から徐々に最内層１４に浸透し、外部に漏出しようとする。しかし、毛髪化粧料中の成分は毛髪化粧料収納容器１１の表面へ浸透することはできないため、毛髪化粧料中の成分が保存時に減少するおそれはない。
【００４５】
以上のように、この実施形態によれば次のような効果が発揮される。
・  実施形態の毛髪化粧料収納容器１１は、バリアー性に優れているが、耐水性に劣る中間層１３の外面にバリアー性、耐水性に優れた無機物を蒸着した飽和ポリエチレン樹脂層を、内面にバリアー性に劣るが、耐水性、耐薬品性に優れたポリオレフィン系樹脂層１４ａを接合した素材によって形成されている。従って、互いの欠点を補い合い、バリアー性と耐水性、耐薬品性に優れた樹脂容器を得ることができる。
【００４６】
・  実施形態の毛髪化粧料収納容器１１は、透明性を有する素材によって形成されている。このため、内容物の残量を容易に確認することができると共に、収納されている内容物が何であるのかを、外から見ただけで容易に確認することができる。則ち、二剤式のパーマネントウェーブ用剤の場合、第１剤と第２剤を見間違えることはない。
【００４７】
・  実施形態の毛髪化粧料収納容器１１は、環境に対しクリーンな素材によって形成されている。このため、焼却時にダイオキシン等を発生することがなく、焼却残査も極めて少ない。
【００４８】
・  実施形態の毛髪化粧料収納容器１１は、最内層１４が、耐水性、耐薬品性に優れたポリオレフィン系樹脂層１３ｂで形成されている。このため、パーマネントウェーブ用剤、酸化染毛剤等の第２剤を収納した場合でも、酸化剤である臭素酸塩や過酸化水素等が経時分解される恐れはほとんどない。
【００４９】
また、たとえ内容物中の例えば、過酸化水素が分解され、発生した酸素により、容器本体内の内圧が急激に上昇し、圧力が特定箇所に集中することがあっても、容器本体が薄肉可撓性の積層シート剤で形成されているため、前記シート剤が軟らかく撓んで圧力を分散させ、容器本体の破裂を防止することができる。よって、パーマネントウェーブ用剤、酸化染毛剤等の第２剤の保存安定性を向上させることができる。
また、詰替容器としても利用することができる。
【００５０】
・  ところで、毛髪化粧料として、揮発性の高いアンモニアをアルカリ剤として含有するパーマネントウェーブ用剤、酸化染毛剤等の第１剤を使用する場合、従来のエチレン−ビニルアルコール共重合体やポリアミド系二軸延伸樹脂等のバリアー層のみでは、完全にアンモニアの透過を防止することは困難であった。
【００５１】
そこで、エチレン−ビニルアルコール共重合体やポリアミド系二軸延伸樹脂等の代わりにアルミニウムフィルムを使用することで、アンモニアの透過を防止する試みがなされているが、焼却時に焼却炉に損傷を与えるなどの環境対応上の問題の他、容器本体内部の視認性が悪く、内容物の残量を確認できないなどの問題がある。
【００５２】
しかし、実施形態の毛髪化粧料収納容器では、無機物を蒸着した飽和ポリエチレン樹脂層とエチレン−ビニルアルコール共重合体またはポリアミド系二軸延伸樹脂層の２層でバリアー層を形成しているため、揮発性の高いアンモニアをアルカリ剤として含有する毛髪化粧料を収納した場合でも、十分にアンモニアの透過を防止することができ、かつ、内容物の残量も容易に確認することができる。よって、アルカリ剤を含有する毛髪化粧料の保存安定性を向上させることができる。
【００５３】
なお、本実施形態は、次のように変更して具体化することも可能である。
・  実施形態の毛髪化粧料収納容器１１を中央で連結した一対の第１包装袋と第２包装袋とで構成すること。このように構成した場合、二剤式の毛髪化粧料の第１剤と第２剤をそれぞれ収納することができる。
【００５４】
・  実施形態の毛髪化粧料収納容器１１を自立性を有するスタンディングパウチ容器として形成すること。このように構成した場合、詰替容器としても、本体容器としても使用することができる。
【００５５】
・  実施形態の染毛剤収納容器１１の層構成を、最外層から最内層の順に、例えば、無機物蒸着ＰＥＴ層／ＥＶＯＨ／Ｏ−Ｎｙ／ポリオレフィン系樹脂層、無機物蒸着ＰＥＴ層／Ｏ−Ｎｙ／ＥＶＯＨ／ポリオレフィン系樹脂層、無機物蒸着ＰＥＴ層／Ｏ−Ｎｙ／Ｏ−ＰＰ（延伸ポリプロピレン）／ポリオレフィン系樹脂層、無機物蒸着ＰＥＴ層／ＥＶＯＨ／Ｏ−ＰＰ／ポリオレフィン系樹脂層等として形成すること。このように構成した場合、よりバリアー性を向上させることができる。
【００５６】
以下、前記実施形態をさらに具体化した実施例について説明する。
実施例１および比較例１，２においては、第１容器と第２容器を別体で形成し、それぞれ表１に示す材質（左端が外層側、右端が内層側を示す）からなる樹脂素材によって第１容器と第２容器を形成した。そして、第１容器と第２容器にパーマネントウェーブ用剤の第１剤と第２剤をそれぞれ収納して４５℃恒温槽にて三ヶ月間保存した後、毛束に対するウェーブ効果について評価した。その結果を表１に示す。
【００５７】
なお、第１容器は、最外層の厚さを略１２μｍ、中間層の厚さを略１５μｍ、最内層の厚さを略１１０μｍとしたものを使用した。
【００５８】
また、パーマネントウェーブ用剤としては、前記パーマネントウェーブ用剤（ａ）を使用した。
【００５９】
また、ウェーブ効果はキルビー法によりウェーブ効率として評価し、保存前のパーマネントウェーブ用剤を使ったときのウェーブ効率と比較して、ほぼ同等のウェーブ効率が得られた場合には○、やや異なるウェーブ効率が得られた場合には△、かなり異なるウェーブ効率となった場合には×で示した。
【表１】
0004789301.tif 000002
【００６０】
表１の結果より、実施例１において、ウェーブ効率が良好であることが示された。即ち、ＰＥＴ−ＳｉＯＸ層とＯ−Ｎｙ層をそれぞれ最外層、中間層に配置した積層容器の場合、第１剤の保存安定性が良好であることが示された。
【００６１】
また、比較例１においては、ウェーブ効率がやや不良であることが示された。即ち、シリカ蒸着をしないＰＥＴ樹脂層を最外層に配置して、第１容器を形成した場合、第１剤の保存安定性が不良であることが示された。
【００６２】
また、比較例２においては、ウェーブ効率が不良であることが示された。則ち、２軸延伸ナイロン層を含まない層構成で、第１容器を形成した場合、第１剤の保存安定性が不良であることが示された。
【００６３】
次に、前記実施形態から把握できる技術的思想について以下に記載する。
・  前記毛髪化粧料収納容器が、透明性を有することを特徴とする請求項１から請求項４のいずれか一項に記載の毛髪化粧料収納容器。このように構成した場合、内容物の残量を容易に確認することができると共に、収納されている内容物が何であるのかを、外から見ただけで容易に確認することができる。
【００６４】
・  前記毛髪化粧料が、酸性染毛料であると共に、前記毛髪化粧料収納容器が、透明性を有することを特徴とする請求項１又は請求項４に記載の毛髪化粧料収納容器。このように構成した場合、容器又は小箱等に色名ラベルを設けなくとも、酸性染毛料の色を容易に判別することができる。よって、従来の収納容器に比べてコストの低減を図ることができる。
【００６５】
・  前記毛髪化粧料が、酸化剤を含有してなる毛髪化粧料であることを特徴とする請求項１又は請求項４に記載の毛髪化粧料収納容器。このように構成した場合、酸化剤を含有してなる毛髪化粧料の保存安定性を向上させることができる。
【００６６】
・  前記毛髪化粧料が、還元剤を含有してなる毛髪化粧料であることを特徴とする請求項１又は請求項４に記載の毛髪化粧料収納容器。このように構成した場合、還元剤を含有してなる毛髪化粧料の保存安定性を向上させることができる。
【００６７】
【発明の効果】
以上詳述したように、この発明によれば、次のような効果を奏する。
請求項１に記載の発明の毛髪化粧料収納容器によれば、廃棄、焼却に関してダイオキシンの発生の懸念がなく、毛髪化粧料に対する高いバリアー性、耐薬品性、耐水性とを具備すると共に、容器内部の視認性が良好であるため、内容物の残量を容易に確認することができる。
【００６８】
請求項２に記載の発明の毛髪化粧料収納容器によれば、請求項１に記載の発明の効果に加え、容器本体内に収納される毛髪化粧料がアルカリ剤を含有してなる毛髪化粧料であっても、内容物の保存安定性を向上させることができる。
【００６９】
請求項３に記載の発明の毛髪化粧料収納容器によれば、請求項１に記載の発明の効果に加え、容器本体内に収納される毛髪化粧料がパーマネントウェーブ用剤であっても、内容物の保存安定性を向上させることができる。
【００７０】
請求項４に記載の発明の毛髪化粧料収納容器によれば、請求項１から請求項３に記載の発明の効果に加え、コストメリットを向上させることができる。
【図面の簡単な説明】
【図１】  （ａ）はこの発明の毛髪化粧料収納容器の第１実施形態を示す斜視図、（ｂ）はその構成素材の断面図。
【符号の説明】
１１…毛髪化粧料収納容器、１２…最外層、１２ａ…飽和ポリエステル樹脂層、１２ｂ…無機物蒸着層、１３…中間層、１４…最内層
【図１】
0004789301.tif 000003